(57)【要約】【課題】ＬＥＤ電球の取付方向によらず、照射面を一方向に限定して、高い全光束を得ながら光効率の良いＬＥＤ電球及びＬＥＤ照明器具を提供する。【解決手段】ＬＥＤ電球は、発光ダイオード３を備えたＬＥＤユニット１と、電球用ソケットに着脱自在に装着される口金６と、ＬＥＤユニット１に電力を供給する電源ユニット４とを備える。ＬＥＤユニット１の裏面側に設けた被支持部２１は、口金６に設けた支持部２２によって回転自在に支持されており、ＬＥＤ電球を電球用ソケットに取り付けると、ＬＥＤユニット１がその自重によって下方に位置するよう回転するので、発光ダイオード３からの光を一定方向限定して照射できる。【選択図】図１
2010055830.tif 000002
【特許請求の範囲】
【請求項１】
表面に発光ダイオードを搭載した基板を有するＬＥＤユニットと、電球用ソケットに着脱自在に装着される口金と、口金に設けられＬＥＤユニットを支えるための支持部と、口金を介して電源が供給され発光ダイオードに点灯電力を供給する電源ユニットとを備え、支持部はＬＥＤユニットの裏面側に設けた被支持部を回転自在に支持することを特徴とするＬＥＤ電球。
【請求項２】
電源ユニットの回路部品が、発光ダイオードと同じ基板に実装されたことを特徴とする請求項１記載のＬＥＤ電球。
【請求項３】
基板には、当該基板を水平に保つ位置にバランサが配置されたことを特徴とする、請求項１または２の何れかに記載のＬＥＤ電球。
【請求項４】
ＬＥＤユニットを覆うようにして口金に支持された透光性のグローブと、当該グローブの一部に設けられ、発光ダイオードからの光を反射する反射板とを備えたことを特徴とする請求項１〜３の何れか１項に記載のＬＥＤ電球。
【請求項５】
被支持部に対してＬＥＤユニットと反対側に錘を配置し、当該錘とＬＥＤユニットとが互いに連結されたことを特徴とする請求項１〜３の何れか１項に記載のＬＥＤ電球。
【請求項６】
請求項１〜５の何れか１項に記載のＬＥＤ電球と、このＬＥＤ電球が装着される電球用ソケットを有する器具本体とを備えることを特徴とするＬＥＤ照明器具。
【発明の詳細な説明】
【技術分野】
【０００１】
本発明は、ＬＥＤを光源とするＬＥＤ電球およびＬＥＤ照明器具に関するものである。
【背景技術】
【０００２】
近年、白熱電球や電球型の蛍光ランプに替えて、発光ダイオード（ＬＥＤ）を光源とするＬＥＤ電球が使用されてきている。この種の電球においては、その構造上あるいは放熱上の制限などから、搭載できるＬＥＤの数量は制限され、結果として全光束も制限されていた。
【０００３】
高い全光束が得られるＬＥＤ電球としては、複数のＬＥＤが搭載された基板を電球形状のグローブ内に配置したものがある（例えば、特許文献１参照）。この特許文献１に開示されたＬＥＤ電球では、先端が半球状となっている略円柱状の基体の表面に直列に接続された複数のＬＥＤを実装し、基体の表面に設けられたＬＥＤが点灯することで、広い配光で放射光が出射されて、高い全光束が得られる。
【特許文献１】特開２００８−１０３１１２号公報
【発明の開示】
【発明が解決しようとする課題】
【０００４】
ところで、ＬＥＤ電球を取付ける照明器具としては、ダウンライトのように天井に埋め込んで使用される照明器具もある。この種の照明器具の場合には、必要とされる光の放射方向は、照明器具の直下方向のみであり、広い配光を必要としない。
【０００５】
ここで、従来のＬＥＤ電球のように、電球の全体から放射状に光を出射するＬＥＤ電球をダウンライトなどの照明器具に用いた場合には、照明器具内の反射板によって直下方向以外の光は反射され、照明器具内でＬＥＤ電球からの光が照射されて吸収されるため、照明器具全体としての光効率が悪く、照明器具全体として所望する全光束が得られないという問題があった。
【０００６】
また、このような問題はダウンライトのような天井に埋め込んで使用される照明器具に限られず、電球を略水平に取り付ける構造を用いたシャンデリアや、前方向にのみ光を照射するスポットライトのような照明器具においても、同様の問題があった。
【０００７】
本発明は、上記事由に鑑みて為されたものであり、その目的とするところは、ＬＥＤ電球の取付方向によらず、照射面を一方向に限定して、高い全光束を得ながら光効率の良いＬＥＤ電球及びＬＥＤ照明器具を提供することにある。
【課題を解決するための手段】
【０００８】
上記目的を達成するために、請求項１の発明では、表面に発光ダイオードを搭載した基板を有するＬＥＤユニットと、電球用ソケットに着脱自在に装着される口金と、口金に設けられＬＥＤユニットを支えるための支持部と、口金を介して電源が供給され発光ダイオードに点灯電力を供給する電源ユニットとを備え、支持部はＬＥＤユニットの裏面側に設けた被支持部を回転自在に支持することを特徴とする。
【０００９】
請求項２の発明では、請求項１の発明において、電源ユニットの回路部品が、発光ダイオードと同じ基板に実装されたことを特徴とする。
【００１０】
請求項３の発明では、請求項１または２の発明において、基板には、当該基板を水平に保つ位置にバランサが配置されたことを特徴とする。
【００１１】
請求項４の発明では、請求項１〜３のいずれか一項の発明において、ＬＥＤユニットを覆うようにして口金に支持された透光性のグローブと、当該グローブの一部に設けられ、発光ダイオードからの光を反射する反射板とを備えたことを特徴とする。
【００１２】
請求項５の発明では、請求項１〜３のいずれか一項の発明において、被支持部に対してＬＥＤユニットと反対側に錘を配置し、当該錘とＬＥＤユニットとが互いに連結されたことを特徴とする。
【００１３】
請求項６の発明では、請求項１〜５の何れか一項のＬＥＤ電球と、このＬＥＤ電球が装着される電球用ソケットを有する器具本体とを備えることを特徴とする。
【発明の効果】
【００１４】
請求項１の発明によれば、ＬＥＤユニットは口金に設けられた被支持部が回転自在な支持部によって支持されている。ＬＥＤユニットは、その自重によってＬＥＤユニットが回転することで位置が定まるので、当該ＬＥＤ電球を取付けた照明器具の取付方向に関係なく、一定の方向にＬＥＤユニットを向けることが出来る。ここで、光源となる発光ダイオードはＬＥＤユニットに固定して搭載されているので、発光ダイオードの光を一定方向に向けて照射させることができる。これにより、ＬＥＤ電球の全周方向に光が照射される場合と比べて、照射方向に対する光の取り出し効率が向上し、照射方向への光束が高いＬＥＤ電球を提供できる。
【００１５】
請求項２の発明によれば、電源ユニットからＬＥＤユニットへの電力を供給するための電線が不要となり、請求項１の効果に加えて、製造コストが低減する。
【００１６】
ところで、ＬＥＤユニットの基板に実装された部品等の構成や、被支持部の設置位置によっては、ＬＥＤユニットを水平に保つことが困難な場合がある。
【００１７】
請求項３の発明によれば、基板に設けたバランサによって、基板が常に水平を保つので、より光源となる発光ダイオードを一定の方向に向けることができるので、照射方向への光束が高いＬＥＤ電球を提供出来る。
【００１８】
請求項４の発明によれば、グローブに取り付けられた反射板で反射されるから、発光ダイオードの取付方向に対して、光の照射方向を所望の方向に設定することが出来る。
【００１９】
請求項５の発明によれば、錘の重さによって錘が下側、ＬＥＤユニットが上側となるよう回転して、ＬＥＤユニットの位置が定まるので、ＬＥＤ電球を取付けた照明器具の取付方向に関係なく、発光ダイオードの光を上方にも配光することができる。
【００２０】
請求項６の発明によれば、請求項１〜５の何れかに記載のＬＥＤ電球を具備しているので、光効率の高い照明器具を提供することが出来る。
【発明を実施するための最良の形態】
【００２１】
以下に本発明の実施の形態を図面に基づいて説明する。
【００２２】
（実施の形態１）
図１は本発明の実施の形態１にかかるＬＥＤ電球を示す概略断面図である。図２は同ＬＥＤ電球を横方向に配置した状態を示す概略断面図である。図３は同ＬＥＤ電球の内部回路を示す概略回路図である。
【００２３】
図１及び図３に示すように、ＬＥＤ電球は複数の発光ダイオード３が基板２の表面に実装されたＬＥＤユニット１と、電球用ソケットに着脱自在に装着される口金６と、電源ユニット４と、透光性のグローブ７と、グローブ７を口金６に取付けるカバー５とを備える。
【００２４】
基板２は高熱伝導性を有する金属（例えばアルミニウム（Ａｌ））からなり、基板２の表面には複数の発光ダイオード３が搭載されている。これら複数の発光ダイオード３は、例えば３個の発光ダイオードが直列接続された回路を、複数列並列に接続して回路が形成されている。
【００２５】
この基板２の裏面中央には、高熱伝導性を有する金属（例えばアルミニウム（Ａｌ））からなる被支持部２１の一端側が連結されており、被支持部２１の他端側には略環状のリング部２１ａが形成されている。リング部２１ａは、支持部２２の先端に設けた略環状のリング部２２ａに連結されて回転自在に支持部２２によって支持されており、支持部２２は、リング部２１ａおよび基板２がカバー５の外方に位置するよう取り付けられている。
【００２６】
発光ダイオード３は、例えば可視光を放射する面実装形であって、基板２の表面に絶縁層を介して形成された銅箔からなる配線パターン１１によって直列または並列に接続されている。また、複数の発光ダイオード３から放射される光が均等に放射されるように配置が決定されている。
【００２７】
電源ユニット４は、発光ダイオード３を点灯させる点灯回路部品（図示せず）を有しており、交流電源（例えばＡＣ１００Ｖ）から出力電流が例えば１６０ｍＡの定電流に変換し、電源ユニット４に接続された出力電線１０ｂ、１０ｂを介して、基板２に実装された発光ダイオード３に電力を供給する。
【００２８】
カバー５は、高熱伝導性を有する金属（例えばアルミニウム（Ａｌ））からなり、一方側に円筒状の口金取付部１２が形成され、他方側に拡開した環状のカバー部１３が形成されている。そして、口金取付部１２には、図示しない絶縁シートや絶縁性の接着剤などの絶縁物を介して、絶縁性の接着剤またはかしめなどによって口金６の開口部が装着されている。
【００２９】
カバー５の口金取付部１２の内面側には、中央部に孔１４を有する円盤状の支持部材１５が接着剤などによって取付けられており、支持部材１５の内面側には電源ユニット４が配設されている。すなわち、口金取付部１２は支持部材１５を介して電源ユニット４を収容している。
【００３０】
また口金取付部１２には、高熱伝導性を有する金属（例えばアルミニウム（Ａｌ））からなり、中央に支持部２２を一体に形成している略円柱状の台部８が、伝熱性の接着材によりカバー部１３の内面に取付けられている。すなわち、口金取付部１２には台部８を介して支持部２２が取付けられている。
【００３１】
台部８には、その中央付近に台部８を厚み方向に貫通した貫通孔９を有し、電源ユニット４に接続された出力電線１０ｂ、１０ｂは、支持部材１５の孔１４から台部８の貫通孔９を通って基板２に接続されている。出力電線１０ｂ、１０ｂは貫通孔９から基板２の距離に対して十分な長さがあり、ＬＥＤユニット１がどのように回転してもその回転動作を阻害することが無いように設置されている。
【００３２】
口金６は、例えばエジソンタイプのＥ２６形の口金であって、ねじ山を備えた筒状に形成された金属性のシェル部１６を有している。口金６は、このシェル部１６の一端側の頂部に絶縁部を介して金属製のアイレット部１７を有し、他端側が絶縁物を介してカバー５の口金取付部１２に装着されている。
【００３３】
シェル部１６とアイレット部１７の内側面には、それぞれ電源ユニット４の入力電線１０ａ、１０ａが接続されており、図示しない電球用ソケット内の電極と接触して、入力電線１０ａ、１０ａを介して電源ユニット４に、電球用ソケットから供給される電力を伝える。
【００３４】
グローブ７は、透光性を有しており、例えば透明のガラスや合成樹脂などの材料によって、端部７ａが開口する一般照明用電球と略同等の形状に形成されている。そして、グローブ７は、ＬＥＤユニット１および支持部２２を覆うようにして、グローブ７の端部７ａがカバー５のカバー部１３の内側に嵌合され、例えばシリコーン樹脂やエポキシ樹脂などの接着剤によって接着固定されている。
【００３５】
支持部２２は、高熱伝導性を有する金属（例えばアルミニウム（Ａｌ））からなり、その一端を円柱状の台部８と一体に形成されて、他端は略環状のリング部２２ａを形成している。また、リング部２２ａに被支持部２１のリング部２１ａを連結することで、支持部２２はＬＥＤユニット１を回転自在に支持している。
【００３６】
ここで、ＬＥＤ電球を電球用ソケット（図示せず）に取付けると、口金６のアイレット部１７とシェル部１６がソケット内の電極と接触し、商用電源（図示せず）からの電力が入力電線１０ａ、１０ａを介して、電源ユニット４に供給される。電源ユニット４は、供給された電力をもとに動作して、例えば１６０ｍＡの直流電流を出力し、出力電線１０ｂ、１０ｂを介して基板２の発光ダイオード３に電力が供給されると、複数の発光ダイオード３が点灯し、例えば白色光の可視光が放射される。
【００３７】
また、ＬＥＤユニット１はその自重によって支持部２２のリング部２２ａの下側に位置するよう回転し、ＬＥＤユニット１の基板２の表面はリング部２２ａと逆方向となる下側方向を向いている。基板２の表面に実装された複数の発光ダイオード３も、同じく下側方向を向いているので、発光ダイオード３が点灯して放射された可視光は、透過性のグローブ７を透過して照明器具の下面に向けて照射される。
【００３８】
このように、口金６を上方に取り付ける例えばダウンライトのような照明器具でも、ダウンライト照明器具の反射板内で発光ダイオード３から照射された照射光が、照明器具内部で反射され吸収されることを低減させることができ、照明器具の光の取出効率を向上させることが出来る。
【００３９】
また、図２に示すように、本実施の形態のＬＥＤ電球をシャンデリア型照明器具のように、ＬＥＤ電球を略横向けに取付ける照明器具で使用した場合であっても、ＬＥＤユニット１の自重によって支持部２２のリング部２２ａの下側になるように回転するので、ＬＥＤユニット１の基板２の表面に実装された発光ダイオード３は照明器具の下面を向いて点灯し、可視光を照明器具の下面に向けて照射する。
【００４０】
このように、照明器具の設置方向によらず、発光ダイオード３からの光は下方向にのみ照射されるので、照明器具の照射方向である下方向に対して光の取り出し効率が良いＬＥＤ電球が提供出来る。
【００４１】
このとき、発光ダイオード３の点灯により発生した熱は、基板２に伝熱され、基板２から被支持部２１に伝熱され、被支持部２１から支持部２２に伝熱し、支持部２２から台部８に伝熱され、さらに台部８からカバー５に伝熱されＬＥＤ電球の外部に放熱される。基板２、被支持部２１、支持部２２、台部８、カバー５はいずれも高熱伝導性を有する金属（例えばアルミニウム（Ａｌ））から形成されるので、発光ダイオード３からの熱は迅速にＬＥＤ電球外部に放熱される。これにより、発光ダイオード３の温度上昇および温度むらが抑制されるので、ＬＥＤ電球の寿命を長くすることでき、色度の変化を防止することができる。
【００４２】
なお、入力電線１０ａ、１０ａおよび出力電線１０ｂ、１０ｂは絶縁被覆されていることが好ましい。これにより、ＬＥＤユニット１の被支持部２１や貫通孔９の内側に絶縁処理を施す必要が無くなり、安価なＬＥＤ電球を提供することが出来る。
【００４３】
また、本実施の形態では、支持部２２と被支持部２１の先端が、双方とも略環状となって互いに組み合わされて回転自在な支持部２２を形成するものを示したが、ＬＥＤユニット１が回転自在であってＬＥＤユニット１を支持できるものであれば、支持部２２および被支持部２１の形態および素材は問わない。
【００４４】
（実施の形態２）
図４は本発明の実施の形態２にかかるＬＥＤ電球の要部の概略断面図である。
【００４５】
図４に示すように、基板２には電源ユニット４を構成する部品４ａが実装されており、口金６のシェル部１６とアイレット部１７の内面側に接続された入力電線１０ａ、１０ａが支持部材１５の孔１４と台部８の貫通孔９を通って基板２の表面に形成された配線パターン１１に接続されている。この点を除いては、実施の形態１と同様であるので共通する構成要素には同一の符号を付してその説明は省略する。
【００４６】
本実施の形態のＬＥＤ電球を図示しない電球用ソケットに取付けると、口金６のアイレット部１７とシェル部１６がソケット内の電極と接触して、入力電線１０ａ、１０ａを介して、基板２に電力が供給される。基板２は電源ユニット４の構成部品４ａを介して例えば１６０ｍＡの直流電流を、表面に実装された複数の発光ダイオード３に供給し、発光ダイオード３をそれぞれ点灯させて、例えば白色光の可視光を放射する。
【００４７】
このとき、ＬＥＤユニット１はその自重によってＬＥＤユニット１が支持部２２のリング部２２ａの下側に位置するよう回転し、ＬＥＤユニット１の基板２の表面はリング部２２ａと逆方向となる下側方向を向いている。基板２の表面に実装された複数の発光ダイオード３も、同じく下側方向を向いているので、発光ダイオード３が点灯して放射された可視光は、透過性のグローブ７を透過して照明器具の下面に向けて照射される。
【００４８】
このようにして、照明器具の反射板内で発光ダイオード３から照射された照射光が、照明器具内部で反射され吸収されることを低減させることができ、照明器具の光の取出効率を向上させることが出来る。
【００４９】
また、本実施の形態では、電源ユニットと基板との間を接続する電線が不要となるため、出力電線にかかるコストを下げられるとともに、口金６の内部構造を簡素化できるので、安価にＬＥＤ電球を製造することが出来る。
【００５０】
（実施の形態３）
図５は本発明の実施の形態３にかかるＬＥＤ電球の要部の概略断面図である。
【００５１】
図５に示すように、複数のバランサ１８が例えば被支持部２１を中心にして基板２の裏面両端に配置され、接着などの方法で基板２の裏面に固定されている。この点を除いては、実施の形態１と同様であるので共通する構成要素には同一の符号を付してその説明は省略する。
【００５２】
本来、ＬＥＤユニット１は、基板２が水平に保たれるよう被支持部２１の取付位置がＬＥＤユニット１の重心もしくはその延長上となることが望ましいが、基板に実装する部品や出力電線１０ｂの取付位置などによって、基板２が水平に保てない場合がある。この場合には、ＬＥＤユニット１がその自重によって支持部２２のリング部２２ａの下側に位置するよう回転しても、基板２が水平に保たれないことによって、結果、所望の方向例えば下方向に光を照射できないこととなる。
【００５３】
本実施の形態では、被支持部２１の取付位置がＬＥＤユニット１の重心もしくはその延長上となるよう、バランサ１８を基板２に接着固定しているので、より確実に基板２を水平に保ち、発光ダイオード３から照射された光をＬＥＤ電球の下方に限定できる。
【００５４】
このようにして、照明器具の反射板内で発光ダイオード３から照射された照射光が、照明器具内部で反射され吸収されることを低減させることができ、照明器具の光の取出効率を向上させることが出来る。
【００５５】
（実施の形態４）
図６は本発明の実施の形態４にかかるＬＥＤ電球の概略断面図である。図７は同ＬＥＤ電球の別の例を示す概略断面図である。
【００５６】
内面が発光ダイオード３の光を反射する反射板２３または反射板２４が、グローブ７の外殻のうちおおよそ半分を覆うようにして装着されている。この点を除いては、実施の形態１と同様であるので共通する構成要素には同一の符号を付してその説明は省略する。
【００５７】
まず、本実施の形態にかかるＬＥＤ電球を、口金６が上方になるよう設置された電球用ソケット（図示せず）に取り付けた場合について、図６に基づいて説明を行う。
【００５８】
反射板２３は、グローブ７の外殻に沿って半球状の形状をしており、電球用ソケットに取り付けた状態で、下側となる部位にグローブ７の外周に沿って配置されている。
【００５９】
ＬＥＤ電球は、電球用ソケットに取り付けることで、ＬＥＤユニット１がその自重によって支持部２２のリング部２２ａの下側に位置するように回転し、商用電源からの電力によって複数の発光ダイオード３から反射板２３の内面に向けて照射される。発光ダイオード３からの照射光は、反射板２３の内面によって反射され、透過性のグローブ７の上側を透過して、照明器具の上面に向けて照射される。
【００６０】
次に、ＬＥＤ電球を口金６が横向きとなるよう設置された電球用ソケット（図示せず）に取り付けた場合について、図７に基づいて説明を行う。
【００６１】
反射板２４は、グローブ７を縦方向に２つ割にしたような形状をしており、グローブ７の外周に沿って回転自在にカバー５に支持されている。すなわち、反射板２４はＬＥＤ電球を電球用ソケットに安定するように取付けた後においても、その自重または操作によって、グローブ７の外周に沿ってＬＥＤ電球の下側に位置するよう設定することができる。
【００６２】
ここで、ＬＥＤ電球を電球用ソケットに取り付けることで、ＬＥＤユニット１がその自重によって支持部２２のリング部２２ａの下側に位置するように回転し、商用電源からの電力によって複数の発光ダイオード３から反射板２４の内面に向けて照射される。発光ダイオード３からの照射光は、反射板２４の内面によって反射され、透過性のグローブ７の上側を透過して、照明器具の上面に向けて照射される。
【００６３】
このとき反射板２４は、ＬＥＤ電球を電球用ソケットに取付けた後であってもグローブ７の外周に沿って回転することが出来るので、口金６のシェル部１６に設けられたねじ山の終端位置によらず、常に反射板２４をＬＥＤ電球の下方に位置させることができ、照明器具の上面に向けて照射することが出来る。
【００６４】
このように、発光ダイオード３から照射された照射光が、照明器具内部で反射され吸収されることを低減させることができ、照明器具の光の取出効率を向上させるとともに、上方へ配光する照明器具を提供することが出来る。
【００６５】
（実施の形態５）
図８は本発明の実施の形態５にかかるＬＥＤ電球の概略断面図である。
【００６６】
図８に示すように、ＬＥＤユニット１と比較して十分に重い錘２５が、被支持部２１のリング部２１ａに対してＬＥＤユニット１と反対側になるように、被支持部２１に取付けられている。この点を除いては、実施の形態１と同様であるので説明を省略する。
【００６７】
本発明にかかるＬＥＤ電球を、図示しない電球用ソケットに取付けると、錘２５はその自重によって、錘２５が支持部２２のリング部２２ａの下側に位置するとともに、ＬＥＤユニット１が支持部２２のリング部２２ａの上側に位置するように、錘２５とＬＥＤユニット１が回転する。
【００６８】
このとき、ＬＥＤユニット１の基板２の表面とその表面に実装された発光ダイオード３は、ＬＥＤ電球の上方を向いており、発光ダイオード３は点灯して可視光を照射する。発光ダイオード３から照射された光は、照明器具の上面に向けて照射され、透過性のグローブ７を透過して照明器具の上方に配光される。
【００６９】
このように、発光ダイオード３から照射された照射光が、照明器具内部で反射され吸収されることを低減させることができ、照明器具の光の取出効率を向上させるとともに、上方へ配光する照明器具を提供することが出来る。
【００７０】
（実施の形態６）
図９は本発明の実施の形態６にかかるＬＥＤ照明器具の概略断面図である。
【００７１】
図９に示されるように、本実施の形態のＬＥＤ照明器具は天井３５に埋設されるダウンライト照明器具であって、横向けに取付けられるＬＥＤ電球Ａと、天井３５の開口部３５ａに埋設されてＬＥＤ電球Ａが取付けられる器具本体３０とを備える。ＬＥＤ電球Ａについては、実施の形態１にかかるＬＥＤ電球と同様であるので説明を省略する。
【００７２】
器具本体３０は、商用電源に接続されてＬＥＤ電球Ａに電力を供給する電球用ソケット３１と電球の上側を覆う器具カバー３３とを備え、天井３５に上面が当接するつば部３２と板バネ３４との間で天井３５を狭持し、電球用ソケット３１に取付けられたＬＥＤ電球Ａが天井３５に対して略水平となるようにして、天井３５に固定される。
【００７３】
ここで、図示しない商用電源より器具本体３０に電力が供給されると、電球用ソケット３１を介してＬＥＤ電球Ａに電力が供給される。
【００７４】
ＬＥＤ電球Ａは、上述の通り、例えば白色光の可視光をＬＥＤ電球Ａの下方向に限定して照射するので、天井３５の開口部３５ａを通って天井３５の下方向にＬＥＤ電球Ａからの光が照射される。
【００７５】
これにより、照明器具内に照射して吸収される光がほとんどなく、下方向に対して高い全光束を得ることができ、光効率の良い照明器具を提供することが出来る。
【００７６】
なお、本実施の形態のＬＥＤ照明器具としては、天井に埋設されて略水平方向にＬＥＤ電球を設置するダウンライト照明器具としているが、天井に埋設されて略垂直方向にＬＥＤ電球を設置するような照明器具や、天井に吊り下げられて略水平方向にＬＥＤ電球を設置するシャンデリアのような照明器具でもよく、実施の形態１〜５にかかるようなＬＥＤ電球を使用するＬＥＤ照明器具であれば、特に形状および電球の設置方向は問わない。
【図面の簡単な説明】
【００７７】
【図１】本発明の実施の形態１にかかるＬＥＤ電球を示した概略断面図である。
【図２】同ＬＥＤ電球を横方向に配置した状態を示した概略断面図である。
【図３】同ＬＥＤ電球の全体構造を示した概略回路図である。
【図４】本発明の実施の形態２にかかるＬＥＤ電球の要部を示した概略断面図である。
【図５】本発明の実施の形態３にかかるＬＥＤ電球の要部を示した概略断面図である。
【図６】本発明の実施の形態４にかかるＬＥＤ電球を示した概略断面図である。
【図７】同ＬＥＤ電球の別の例を示した概略断面図である。
【図８】本発明の実施の形態５にかかるＬＥＤ電球を示した概略断面図である。
【図９】本発明の実施の形態６にかかるＬＥＤ照明器具を示した概略断面図である。
【符号の説明】
【００７８】
１      ＬＥＤユニット
２      基板
３      発光ダイオード
４      電源ユニット
６      口金
２１    被支持部
２１ａ    リング部
２２    支持部
２２ａ    リング部
【図１】
2010055830.tif 000003
【図２】
2010055830.tif 000004
【図３】
2010055830.tif 000005
【図４】
2010055830.tif 000006
【図５】
2010055830.tif 000007
【図６】
2010055830.tif 000008
【図７】
2010055830.tif 000009
【図８】
2010055830.tif 000010
【図９】
2010055830.tif 000011